(57)【特許請求の範囲】
【請求項１】
被写体を撮像して画像信号を生成する撮像手段と、
異なるビデオ方式に対応した複数の撮影モードのいずれかに切り換えるモード切換手段と、
フリッカ検知用制御パラメータを設定して前記撮像手段による撮影動作を実行することで得られる画像信号に基づいてフリッカ検知を実行した後に、前記モード切換手段により切り換えられた撮影モードに対応した制御パラメータを設定して前記撮像手段による撮影動作を実行するように制御する制御手段と、
前記撮像手段による撮影動作を実行することで得られる画像信号に基づく動画を表示装置に表示させる表示制御手段と、を有し、
前記表示制御手段は、前記フリッカ検知が実行される場合、当該フリッカ検知が実行された後に前記動画を前記表示装置に表示させ、
前記制御手段は、前記モード切換手段により撮影モードが切り換えられた場合、切り換え後の撮影モードに対応した制御パラメータのうち、切り換え前に設定されていた制御パラメータに最も近い制御パラメータを設定することを特徴とする撮像装置。
【請求項２】
前記制御パラメータは、前記画像信号のフレームレートを規定することを特徴とする請求項１に記載の撮像装置。
【請求項３】
前記制御パラメータは、前記撮像手段からの前記画像信号の読み出し方法を規定することを特徴とする請求項１又は２に記載の撮像装置。
【請求項４】
前記制御パラメータにより規定されたフレームレートの画像信号を記録媒体に記録する記録手段を更に有することを特徴とする請求項２に記載の撮像装置。
【請求項５】
前記フリッカ検知用制御パラメータにより規定されるフレームレートは、商用電源の周波数と同期しないフレームレートであることを特徴とする請求項２乃至４のいずれか１項に記載の撮像装置。
【請求項６】
前記フリッカ検知用制御パラメータは、前記複数の撮影モードに対応した制御パラメータと異なることを特徴とする請求項１乃至５のいずれか１項に記載の撮像装置。
【請求項７】
被写体を撮像して画像信号を生成する撮像工程と、
異なるビデオ方式に対応した複数の撮影モードのいずれかに切り換えるモード切換工程と、
フリッカ検知用制御パラメータを設定して前記撮像工程による撮影動作を実行することで得られる画像信号に基づいてフリッカ検知を実行した後に、前記モード切換工程により切り換えられた撮影モードに対応した制御パラメータを設定して前記撮像工程による撮影動作を実行するように制御する制御工程と、
前記撮像工程による撮影動作を実行することで得られる画像信号に基づく動画を表示装置に表示させる表示制御工程と、を有し、
前記表示制御工程は、前記フリッカ検知が実行される場合、当該フリッカ検知が実行された後に前記動画を前記表示装置に表示させ、
前記制御工程は、前記モード切換工程により撮影モードが切り換えられた場合、切り換え後の撮影モードに対応した制御パラメータのうち、切り換え前に設定されていた制御パラメータに最も近い制御パラメータを設定することを特徴とする撮像装置の制御方法。
【発明の詳細な説明】
【技術分野】
【０００１】
本発明は、動画像を撮影できる撮像装置及びその制御方法に関するものである。
【背景技術】
【０００２】
近年、ＣＣＤ等の固体撮像素子が撮像した被写体の画像信号をデジタル信号に変換して得られた画像データを記録媒体に記録するデジタルカメラで、通常の静止画撮影機能に加えて動画撮影機能を備えたものがある。ＣＣＤやＣＭＯＳセンサを使用した撮像装置により、商用電源で点灯駆動されている蛍光灯下で動画撮影を行うと、フレーム毎に明るさが変動したり、フレーム内に明暗の横縞が発生することが知られている。この明暗の変動はフリッカと呼ばれており、５０Ｈｚフリッカに対しては、ｎ／１００秒（ｎは自然数）、６０Ｈｚフリッカに対してはｎ／１２０秒のシャッタースピードで電子シャッターを制御することで、フリッカを低減することができる。
【０００３】
一方、動画撮影機能を有するデジタルカメラの中には、複数の動画記録サイズやフレームレートを任意に選択できる機能や、全画面表示や拡大表示を切り換えることができる機能を備えたものがある。また、記録された静止画や動画を鑑賞する場合には、カメラのＬＣＤモニタ装置などの表示装置で再生表示する機能の他に、ビデオ出力端子やＨＤＭＩ端子を介してＴＶモニタ等で鑑賞することも可能となっている。この場合のビデオ出力方式は、ＮＴＳＣ方式やＰＡＬ方式があり、世界の各地域ではいずれかの方式が採用されていることが一般的である。
【０００４】
特許文献１では、フリッカ検波する際に、垂直走査方向に設定した複数のフリッカ検波枠毎に検波して、前後の輝度データの差分をとることによって、フリッカ成分を抽出している。そして、その抽出したフリッカ成分の間隔を測定して周波数に置き換える方法を開示している。また特許文献２は、動画撮像システムにおいて、記録時やスルー時のフレームレートを、用途に応じて自由に変更できる方法が開示されている。
【先行技術文献】
【特許文献】
【０００５】
【特許文献１】特登録３８２３３１４
【特許文献２】特開平０７−２９８１１２号公報
【発明の概要】
【発明が解決しようとする課題】
【０００６】
フレームレートを選択可能な動画撮影機能において、選択されたフレームレートで制御するとフリッカを検出することが難しい場合がある。この場合には、もし商用電源に接続した蛍光灯下での撮影であれば、記録された動画に明暗の横縞が発生するという問題がある。また、記録された動画を再生表示する場合、記録時に選択したフレームレートで再生表示されることが望ましい。ところが、ビデオ出力端子やＨＤＭＩ端子を介してＴＶモニタ等で鑑賞する場合には、ＮＴＳＣ方式やＰＡＬ方式などの規格で決められたフレームレートでの出力が必要である。このため、結果的には撮影記録時のフレームレートとは異なる表示フレームレートで鑑賞せざるを得ないという問題がある。
【０００７】
本発明は、上記従来技術の問題点を解決することにある。
【０００８】
本発明の目的は、動作モードに応じて最適な画像表示や画像の記録を行うことができる撮像装置及びその制御方法を提供することにある。
【課題を解決するための手段】
【０００９】
上記目的を達成するために本発明の一態様に係る撮像装置は、被写体を撮像して画像信号を生成する撮像手段と、異なるビデオ方式に対応した複数の撮影モードのいずれかに切り換えるモード切換手段と、フリッカ検知用制御パラメータを設定して前記撮像手段による撮影動作を実行することで得られる画像信号に基づいてフリッカ検知を実行した後に、前記モード切換手段により切り換えられた撮影モードに対応した制御パラメータを設定して前記撮像手段による撮影動作を実行するように制御する制御手段と、前記撮像手段による撮影動作を実行することで得られる画像信号に基づく動画を表示装置に表示させる表示制御手段と、を有し、前記表示制御手段は、前記フリッカ検知が実行される場合、当該フリッカ検知が実行された後に前記動画を前記表示装置に表示させ、前記制御手段は、前記モード切換手段により撮影モードが切り換えられた場合、切り換え後の撮影モードに対応した制御パラメータのうち、切り換え前に設定されていた制御パラメータに最も近い制御パラメータを設定することを特徴とする。
【発明の効果】
【００１０】
本発明によれば、動作モードに応じて最適な画像表示や画像の記録を行うことができる。
【図面の簡単な説明】
【００１２】
【図１】本実施形態に係るデジタルカメラの外観を示す斜視図。
【図２】本実施形態に係るデジタルカメラの回路構成を示すブロック図。
【図３】デジタルカメラによる動画撮影の処理の流れを説明するフローチャート。
【図４】デジタルカメラによる動画撮影を説明するタイミングチャート。
【図５】設定された動作モードと制御パラメータとの関係を説明する図。
【図６】デジタルカメラによるビデオ出力設定と選択可能なフレームレートとの関係を説明する図。
【図７】デジタルカメラでのビデオ出力設定とフレームレートとの関係を説明する図。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
図１は、本実施形態に係るデジタルカメラ１００の外観を示す斜視図である。
【００１５】
図１において、カメラ１００の上部には、アクセサリシュー１１０、光学ファインダー１０４、ＡＥ（自動露出）ロックボタン１１２、ＡＦの測距点選択ボタン１１３、撮影操作をするためのレリーズボタン１１４が設けられている。また、電子ダイヤル４１１、モードダイヤル６０、及び外部表示装置４０９も設けられている。電子ダイヤル４１１は、他の操作ボタンと併用してカメラに数値を入力したり、撮影モードを切り換えたりするための多機能信号入力装置である。また外部表示装置４０９は液晶表示器で構成され、シャッタースピード、絞り、異なるビデオ方式に対応した撮影モードなどの撮影条件や、他の情報を表示する。
【００１６】
またカメラ本体１００の背面には、撮影された画像や各種設定画面などを表示するＬＣＤモニタ４１７が設けられている。更に、このＬＣＤモニタ４１７に撮影した画像を表示する再生スイッチ６６、単写／連写スイッチ６８、十字配置スイッチ１１６、ＳＥＴボタン１１７、メニューボタン１２４及び電源スイッチ７２が設けられている。
【００１７】
単写／連写スイッチ６８は、レリーズボタン１１４を押した場合に、１コマの撮影を行って待機状態とする単写モードと、レリーズボタン１１４を押している間、連続して撮影を行い続ける連写モードとを設定することができる。十字配置スイッチ１１６は、上下左右に配された４つのボタンと、中央に配されたＳＥＴボタン１１７とを有している。そして、ユーザがＬＣＤモニタ４１７に表示されるメニュー項目などの選択や実行をカメラに指示するために用いられる。メニューボタン１２４は、ＬＣＤモニタ４１７にカメラの各種設定を行うためのメニュー画面を表示させるためのボタンである。例えば、撮影モードを選択、設定（モード切換）を行う時は、このメニューボタン１２４を押した後、十字配置スイッチ１１６の上下左右のボタンを操作して希望のモードを選択する。そして希望のモードが選択された状態でＳＥＴボタン１１７を押すことにより設定が完了する。
【００１８】
図２は、本実施形態に係るデジタルカメラの回路構成を示すブロック図である。
【００１９】
本実施形態に係るデジタルカメラは、撮影レンズ１０、絞り機能を備えるシャッター１２、被写体の光学像を電気信号（画像信号）に変換する撮像素子１４、撮像素子１４から出力されるアナログ信号をデジタル信号に変換するＡ／Ｄ変換器１６を備えている。また、タイミング発生部１８は、撮像素子１４、Ａ／Ｄ変換器１６、Ｄ／Ａ変換器２６にクロック信号や制御信号を供給しており、メモリ制御部２２及びシステム制御部５０により制御される。撮像制御部２１０は、これら撮像素子１４及びＡ／Ｄ変換器１６、タイミング発生回路１８などを含んでいる。画像処理部２０は、Ａ／Ｄ変換器１６からのデータ或いはメモリ制御部２２からのデータに対して所定の画素補間処理や色変換処理を行う。また画像処理部２０は、撮像した画像データを用いて所定の演算処理を行う。システム制御部５０は、その演算結果に基づいて、露光制御部４０、測距制御部４２を制御する、ＴＴＬ（スルー・ザ・レンズ）方式のＡＦ（オートフォーカス）処理、ＡＥ（自動露出）処理、ＥＦ（フラッシュプリ発光）処理を行っている。更に、画像処理部２０は、撮像した画像データを用いて所定の演算処理を行い、その演算結果に基づいてＴＴＬ方式のＡＷＢ（オートホワイトバランス）処理も行っている。
【００２０】
メモリ制御部２２は、Ａ／Ｄ変換器１６、タイミング発生部１８、画像処理部２０、画像表示メモリ２４、Ｄ／Ａ変換器２６、メモリ３０、圧縮・伸長部３２を制御する。Ａ／Ｄ変換器１６のデータが画像処理部２０、メモリ制御部２２を介して、或いはＡ／Ｄ変換器１６のデータが直接、メモリ制御部２２を介して画像表示メモリ２４或いはメモリ３０に書き込まれる。
画像表示部２８はＴＦＴ−ＬＣＤ等の表示で、図１のＬＣＤモニタ４１７に該当している。画像表示メモリ２４に書き込まれた表示用の画像データは、Ｄ／Ａ変換器２６を介して画像表示部２８により表示される。画像表示部２８を用いて撮像した画像データを逐次表示すれば、電子ファインダー機能を実現することが可能である。また、画像表示部２８は、システム制御部５０の指示により任意に表示をオン／オフすることが可能であり、表示をオフにした場合にはデジタルカメラ１００の電力消費を大幅に低減できる。
メモリ３０は、撮影した静止画像や動画像データを格納するためのメモリで、所定枚数の静止画像や所定時間の動画像データを格納するのに十分な記憶容量を備えている。これにより、複数枚の静止画像を連続して撮影する連写撮影やパノラマ撮影の場合にも、高速かつ大量の画像データをメモリ３０に書き込むことが可能となる。また、このメモリ３０は、動画撮影時には、所定レートで連続的に書き込まれる画像のフレームバッファとしても使用される。更にメモリ３０は、システム制御部５０の作業領域としても使用される。圧縮・伸長部３２は、適応離散コサイン変換（ＡＤＣＴ）等により画像データを圧縮伸長し、メモリ３０に格納された画像を読み込んで圧縮処理或いは伸長処理を行い、処理を終えたデータをメモリ３０に書き込む。
【００２１】
露光制御部４０は、絞り機能を備えるシャッター１２を制御しており、フラッシュ４８と連携することによりフラッシュ調光機能も有する。測距制御部４２は、撮影レンズ１０のフォーカシングを制御する。ズーム制御部４４は、撮影レンズ１０のズーミングを制御する。バリア制御部４６は、バリアである保護部１０２の動作を制御する。フラッシュ４８は、ＡＦ補助光の投光機能、フラッシュ調光機能も有する。露光制御部４０、測距制御部４２はＴＴＬ方式を用いて制御されており、撮像した画像データを画像処理部２０によって演算した演算結果に基づき、システム制御部５０が露光制御部４０、測距制御部４２を制御している。
【００２２】
システム制御部５０は、マイクロコンピュータなどのＣＰＵ５０ａを有し、このデジタルカメラ１００全体を制御する。メモリ５２は、このシステム制御部５０の動作用の定数、変数、プログラム等を記憶している。表示部５４は、このシステム制御部のプログラムの実行に応じて、文字、画像、音声等を用いて動作状態やメッセージ等を表示する、スピーカ等の表示部である。この表示部５４は、デジタルカメラ１００の操作部近辺の視認し易い位置に単数或いは複数個所設置され、例えば液晶やＬＥＤ、発音素子等の組み合わせにより構成されている。
また、表示部５４は、その一部の機能が光学ファインダー１０４内に設置されている。表示部５４に表示される表示内容の内、液晶等に表示するものとして、以下のものがある。シングルショット／連写撮影表示、セルフタイマ表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示がある。
更に、ブザー設定表示、時計用電池残量表示、電池残量表示、エラー表示、複数桁の数字による情報表示、記録媒体２００の着脱状態表示、通信Ｉ／Ｆ動作表示、日付・時刻表示等がある。また、表示部５４の表示内容のうち、光学ファインダー１０４内に表示するものとしては、合焦表示、手振れ警告表示、フラッシュ充電表示、シャッタースピード表示、絞り値表示、露出補正表示等がある。不揮発性メモリ５６は、電気的に消去・記録可能な、例えばＥＥＰＲＯＭ等が用いられる。
【００２３】
操作機構６０、６２、６４及び７０は、システム制御部５０の各種の動作指示を入力するためのデバイスであり、スイッチやダイヤル、タッチパネル、視線検知によるポインティング、音声認識装置等の単数或いは複数の組み合わせで構成される。
モードダイヤルスイッチ６０は、電源オフ、自動撮影モード、撮影モード、パノラマ撮影モード、再生モード、マルチ画面再生・消去モード、動画撮影モード等の各機能モードを切り替え設定できる。シャッタースイッチ６２（SW1）は、前述のレリーズボタン１１４の操作途中でオンとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
シャッタースイッチ６４（SW2）は、レリーズボタン１１４の操作完了でオンとなり、撮像素子１２から読み出した信号をＡ／Ｄ変換器１６、メモリ制御部２２を介してメモリ３０に画像データを書き込む露光処理、現像処理を開始する。更には、メモリ３０から画像データを読み出し、圧縮・伸長部３２で圧縮した後、記録媒体２００に書き込む記録処理の動作開始を指示する。
【００２４】
操作部７０は、各種ボタンやタッチパネル等を含み、ライブビュー開始／停止ボタン、動画記録開始／停止ボタン、メニューボタン、セットボタン、マクロボタン、マルチ画面再生改ページボタン、フラッシュ設定ボタンを含む。更に、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンを含む。即ち、図１に示す再生スイッチ６６、単写／連写スイッチ６８、十字配置スイッチ１１６、ＳＥＴボタン１１７、メニューボタン１２４などを含んでいる。
【００２５】
ＧＰＳアンテナ７４は、ＧＰＳ衛星からの電波を受信する。ＧＰＳユニット７６は、その受信データから演算を行い、現在の位置を検出する。この位置情報からは、不揮発性メモリ５６やメモリ３０に格納された地図情報や、インターフェース９０或いは通信部１１０を通して外部機器から地図情報を取り出すことができる。また時計ユニット７８は、現在の時刻情報（年月日、時分秒及び曜日）を保持する。
【００２６】
電源制御部８０は、電池検出回路、ＤＣ−ＤＣコンバータ、通電するブロックを切り換えるスイッチ回路等により構成されている。電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。８２，８４はコネクタである。電源８６は、アルカリ電池やリチウム電池等の一次電池やNiCd電池やNiMH電池、Li電池等の二次電池、ＡＣアダプタ等である。
【００２７】
インターフェース９０は、メモリカードやハードディスク等の記録媒体とのインターフェース、コネクタ９２は、メモリカードやハードディスク等の記録媒体と接続する。尚、本実施形態では、記録媒体を取り付けるインターフェース及びコネクタを持つものとして説明している。もちろん、記録媒体を取り付けるインターフェース及びコネクタは、単数或いは複数、いずれの系統数を備える構成としても構わないし、着脱可能な記録媒体でなくとも良い。
【００２８】
また、異なる規格のインターフェース及びコネクタを組み合わせて備える構成としても構わない。インターフェース及びコネクタとしては、PCMCIAカードやCF（コンパクトフラッシュ（登録商標））カード等の規格に準拠したものを用いて構成して構わない。更にインターフェース９０、そしてコネクタ９２をPCMCIAカードやCF（コンパクトフラッシュ）カード等の規格に準拠したものを用いて構成しても良い。そしてLANカードやモデムカード、USBカード、IEEE1394カード、P1284カード、SCSIカード、PHS等の通信カード、等の各種通信カードを接続しても良い。これにより、他のコンピュータやプリンタ等の周辺機器との間で画像データや画像データに付属した管理情報を転送し合うことが出来る。
【００２９】
インターフェース９４、コネクタ９６は、テレビモニタ２１４と接続するためのケーブルを接続するための接続端子であり、コンポーネント出力やＨＤＭＩ出力などＴＶ規格に準拠したものを用いる。設定状態やケーブル接続状態に応じて、ＬＣＤモニタ４１７とテレビモニタ２１４とで表示出力先を切り替え、或いは同時に表示出力することが可能である。
【００３０】
保護部１０２は、デジタルカメラ１００のレンズ１０を含む撮像部を覆い、撮像部１０２の汚れや破損を防止する。光学ファインダー１０４は、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００３１】
通信部１１０は、例えばRS232CやUSB、IEEE1394、P1284、SCSI、モデム、LAN、アンテナ１１２を介した無線通信等の少なくともいずれかによる他の外部機器との通信が可能である。この通信部１１０を介して、他のコンピュータやプリンタ等の外部機器との間で画像データや画像データに付属した管理情報をやり取りできる。
【００３２】
記録媒体２００は、半導体メモリや磁気ディスク等から構成される記録部２０２、デジタルカメラ１００とのインターフェース２０４、デジタルカメラ１００と接続を行うコネクタ２０６を備えている。記録媒体２００は、例えば、メモリカードやハードディスク等である。
【００３３】
図３は、本実施形態に係るデジタルカメラによる動画撮影の処理の流れを説明するフローチャートである。この処理は、システム制御部５０のＣＰＵ５０ａが不揮発性メモリ５６に記憶されたプログラムを実行することにより実施される。
【００３４】
また図４は、本実施形態に係るデジタルカメラ１００による動画撮影を説明するタイミングチャートである。図３及び図４を用いて、本実施形態に係るデジタルカメラによる動画撮影処理について説明する。
【００３５】
動画撮影をするためには、まずメニューボタン１２４やモードダイヤル６０を用いて、撮影モードを静止画撮影モードから動画撮影モードに変更する必要がある。撮影モードが動画撮影モードに変更されると、システム制御部５０が不図示のクイックリターンミラーを撮影光路外に退避させ、シャッター１２を開放して撮像素子１４に被写体光を露光させる。このとき撮像素子１４から読み出した画像データは、図４の４０１で示すフレーム周期で、４０２に示すフレームバッファとして機能するメモリ３０に連続的に書き込まれる。
【００３６】
図３の処理は、動画撮影モードが指示されることにより開始される。まずＳ１において、動画撮影モードが指示された後の一定期間、フリッカの検知を行う。すなわち、撮像素子１４から出力される画像信号の読み出し方法及びフレーム周期を、後述するフリッカ検知用制御パラメータを用いて制御することによって、前記撮像素子１４から出力される画像信号に基づいてフリッカの有無及び周波数を検知する。フリッカの検知を終了するとＳ２に進み、予め設定されている撮影モードや動画フレームレートの設定、全画面表示或いは拡大表示に応じて、撮像制御切り換え処理を行う。
次にＳ３に進み、ＬＣＤモニタ４１７が電子ビューファインダー（ＥＶＦ）として機能させる。そして、必要に応じて画像処理部２０を用いてメモリ３０（フレームバッファ）に書き込まれた動画像データを読み出して各種画像処理を行った後、ＬＣＤモニタに表示させる。Ｓ４で、メニューボタン１２４やモードダイヤル６０を用いた撮影モードや動画フレームレートの変更、全画面表示や拡大表示への変更等が行なわれた場合には、変更された内容に応じて撮像制御切り換え処理を行う。
【００３７】
Ｓ５において、操作部７０の動画記録開始ボタンがオンされた（例えば、動画撮影モード時にＳＥＴボタン１１７が押された）ことを検知するとＳ６に進む。Ｓ６では、Ｓ２またはＳ４の動作モード切り換え処理で設定された動作モードで、撮影した動画を記録する動画撮影処理を開始する。動画の撮影処理が開始されるとＳ７において、フレームバッファに書き込まれた画像データを読み出し、圧縮・伸長部３２を用いて画像データを圧縮して図４の４０３に示すように動画フレームを生成する。そして、Ｓ８に進み、記録媒体２００へ動画フレームの書き込みを行う。そして、Ｓ９では、動画撮影の終了が指示されたかどうかを判定し、動画撮影の終了でない場合は、Ｓ６に戻って動画記録処理を継続して実行する。
【００３８】
図５は、図３のＳ２またはＳ４の撮像制御切り換え処理で設定される動作モードと、制御パラメータとの関係を説明する図である。
【００３９】
まず本実施形態に係るフレームレートの種類は、２２，２４，２５，３０，５０，６０ｆｐｓが存在する。ここで２２ｆｐｓは、商用電源の周波数５０Ｈｚ及び６０Ｈｚのフリッカと同期しない所定のフレームレートとして、フリッカ検知に使用される。その他の２４，２５，３０，５０，６０ｆｐｓは、ユーザが選択可能な動画フレームレートである。このように制御パラメータは、静止画撮影、動画撮影における記録フレームレートと、撮像素子の間引き読み出しなどの画像信号の読み出し方法を規定する。
【００４０】
また、本実施形態に係る撮像素子１４の読み出し方法には、「全画素読出」、「間引き読出１」、「間引き読出２」、「部分読出」が存在する。「全画素読出」は、撮像素子１４の全ての画素で検知された画像データを読み出すモードであり、これは読み出し時間が長くなるため静止画の撮影時にのみ使用される。「間引き読出１」は、撮像素子１４の全ての画素を縦横３分の１に間引いて高速に読み出すモードであり、通常の静止画撮影時のＥＶＦ表示や２４，２５，３０ｆｐｓの動画フレームレート時に使用される。また「間引き読出２」は、「間引き読出１」よりも更に間引き率を上げて、より高速に読み出すモードであり、５０，６０ｆｐｓでの高速な動画フレームレート時に使用される。「部分読出」は、撮像素子１４の一部領域で検出された画素データのみを間引くことなく読み出すもので、拡大表示時などのように、画角の一部の画像データだけを使用する際に設定される。
【００４１】
以上説明したように、図３のＳ２又はＳ４における撮像制御切り換え処理は、設定された動作状態に応じて図５に示される撮像素子の読み出し方法とフレームレートを決定し、撮像制御を切り換える。
【００４２】
図６は、本実施形態に係るデジタルカメラ１００によるビデオ出力設定と選択可能なフレームレートの関係を説明する図である。このようなビデオ出力設定と選択可能なフレームレートの関係は、例えば不揮発メモリ５６にテーブルとして記憶されている。そしてビデオ出力方式が設定されると、設定されたビデオ出力方式に対応して、選択可能なフレームレートをＬＣＤモニタ４１７に表示してユーザに選択にさせる。これは前述の図３のＳ４で実行される。
【００４３】
ビデオ出力設定がテレビ放送規格の一つであるＮＴＳＣ方式の場合、表示フレームレートは６０ｆｐｓとなる。よって表示フレームレートと同期させるために、６０ｆｐｓ／（整数）を満たす、３０，６０ｆｐｓを選択可能とする。一方、ビデオ出力設定が他のテレビ放送規格であるＰＡＬ方式の場合は、表示フレームレートは５０ｆｐｓとなる。よって表示フレームレートと同期させるために、５０ｆｐｓ／（整数）を満たす、２５，５０ｆｐｓを選択可能とする。また、映画モード（シネマモード）に対応した２４ｆｐｓは、どちらのビデオ出力設定にも完全には同期しないため、ＮＴＳＣ方式およびＰＡＬ方式のいずれの場合でも選択可能とする。
【００４４】
図７は、本実施形態に係るデジタルカメラ１００でのビデオ出力設定の切り替え時にデフォルト（初期設定）で自動選択されるフレームレートの関係を説明する図である。
【００４５】
ＮＴＳＣ方式で３０ｆｐｓが選択されている場合に、ビデオ出力設定がＰＡＬ方式に変更された場合、自動的に、図７のように２５ｆｐｓを選択する。逆にＰＡＬ方式で２５ｆｐｓが選択されている場合に、ビデオ出力設定がＮＴＳＣ方式に変更された場合は、自動的に３０ｆｐｓを選択する。またＮＴＳＣ方式で６０ｆｐｓが選択されている場合に、ビデオ出力設定がＰＡＬ方式に変更された場合は、自動的に５０ｆｐｓを選択する。逆に、ＰＡＬ方式で５０ｆｐｓが選択されている場合に、ビデオ出力設定がＮＴＳＣ方式に変更された場合は、自動的に６０ｆｐｓを選択する。
【００４６】
以上説明したように、本実施形態によれば、静止画撮影や任意のフレームレートでの動画撮影記録、拡大表示等の撮影動作状態に応じて、撮像素子からの画像データの読み出し方法及び記録フレームレートを選択するように制御を行う。これにより、各動作状態に最適なＥＶＦ表示及び動画記録が可能となる。更に、動画撮影モードでのＥＶＦ表示前、或いは動画撮影モードの開始後最初の一定期間でフリッカ検知制御を行うことにより、表示画像及び記録画像に対するフリッカによる画質劣化を防ぐことができる。また、フリッカ検知中には、撮影された動画像をＥＶＦ表示しないようにすることで、不自然な動画像を表示しないようにすることができる。更に、ビデオ出力設定に応じて選択できる動画フレームレートを設定することにより、選択された動画フレームレートとビデオ表示フレームレートとの不整合を防止できる。
【００４７】
以上、本発明の好ましい実施形態について説明したが、本発明はこれらの実施形態に限定されず、その要旨の範囲内で種々の変形及び変更が可能である。例えば、本実施形態では、動画記録時に拡大表示できない仕様を想定しているため、拡大表示時はフレームレートを３０ｆｐｓ固定としている。しかしながら、拡大表示のまま動画記録可能或いは動画記録中に拡大表示可能な仕様とした場合は、設定されたフレームレートに変更して動画を記録することも可能である。
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005460180.tif 000002
【図２】
0005460180.tif 000003
【図３】
0005460180.tif 000004
【図４】
0005460180.tif 000005
【図５】
0005460180.tif 000006
【図６】
0005460180.tif 000007
【図７】
0005460180.tif 000008